【手続補正書】
【提出日】平成19年2月28日(2007.2.28)
【手続補正１】
【補正対象書類名】特許請求の範囲
【補正対象項目名】請求項１
【補正方法】変更
【補正の内容】
【請求項１】
被写体画像の第１のデジタル画像データを取得し、
前記被写体画像もしくはその被写体を照明する第１の照明光源の色度情報および照度情報を取得し、
前記被写体画像の再現画像を観察する際の第２の照明光源の色度情報および照度情報を取得し、
前記第１および前記第２の照明光源の色度情報および照度情報を用いて、前記被写体画像が再現された前記再現画像の見えと、前記被写体画像との見えとを一致させるための見えの変換処理を、前記第１のデジタル画像データに施す画像処理方法であって、
前記見えの変換処理は、
前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、
前記第１および第２の照明光源の色度情報および照度情報から前記被写体画像の変換済測色値に対して行う色順応補正と、
前記第１および第２の照明光源の照度情報から前記被写体画像の変換済測色値に対して行うコントラスト補正と、
前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを備え、
前記コントラスト変換、前記彩度変換、前記色順応補正、前記コントラスト補正および前記フレア補正の少なくとも１つの処理は、１種の変換過程に対して、変換強度の異なる複数の変換過程を備えており、
前記被写体画像の前記第１のデジタル画像データに応じて前記複数の変換過程の中から１つの変換過程を選択し、
選択された前記１つの変換過程を用いて、前記少なくとも１つの処理を行うことにより、前記見えの変換処理を行い、前記再現画像の前記出力すべき測色値から前記再現画像の第２のデジタル画像データを得ることを特徴とする画像処理方法。
【手続補正２】
【補正対象書類名】特許請求の範囲
【補正対象項目名】請求項５
【補正方法】変更
【補正の内容】
【請求項５】
前記被写体画像は、前記被写体を撮影して得られたものであり、
前記第１のデジタル画像データは、前記被写体を撮影したカラーネガフィルムから光電的に読み取られた画像データまたは、前記被写体を撮影して直接光電的に取得された画像データであり、
前記第１の照明光源は、前記被写体を撮影する時に前記被写体を照明する光源である請求項１〜４のいずれかに記載の画像処理方法。
【手続補正３】
【補正対象書類名】特許請求の範囲
【補正対象項目名】請求項６
【補正方法】変更
【補正の内容】
【請求項６】
前記被写体画像は、観察される透過画像であり、
前記第１のデジタル画像データは、前記透過画像の画像データであり、
前記第１の照明光源は、前記透過画像を観察する時に前記透過画像を照明する光源である請求項１〜４のいずれかに記載の画像処理方法。
【手続補正４】
【補正対象書類名】特許請求の範囲
【補正対象項目名】請求項１５
【補正方法】変更
【補正の内容】
【請求項１５】
被写体画像の第１のデジタル画像データを取得する第１の取得手段と、
前記被写体画像もしくはその被写体を照明する第１の照明光源の色度情報および照度情報を取得する第２の取得手段と、
前記被写体画像の再現画像を観察する際の第２の照明光源の色度情報および照度情報を取得する第３の取得手段と、
前記第１および前記第２の照明光源の色度情報および照度情報を用いて、前記被写体画像が再現された再現画像の見えと、前記被写体画像との見えを一致させるための見えの変換処理を、前記第１のデジタル画像データに施す見えの変換処理手段とを有する画像処理装置であって、
前記見えの変換処理手段は、前記見えの変換処理として、
前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、
前記第１および第２の照明光源の色度情報および照度情報から前記被写体画像の変換済測色値に対して行う色順応補正と、
前記第１および第２の照明光源の照度情報から前記被写体画像の変換済測色値に対して行うコントラスト補正と、
前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを行うものであり、
前記見えの変換処理手段は、
前記コントラスト変換、前記彩度変換、前記色順応補正、前記コントラスト補正および前記フレア補正の少なくとも１つの処理を行うための１種の色変換テーブルに対し、変換強度の異なる複数の色変換テーブルを備える格納手段と、
前記被写体画像の前記第１のデジタル画像データに応じて、前記複数の色変換テーブルの中から１つの色変換テーブルを選択する選択手段とを有し、
選択された前記１つの色変換テーブルを用いて、前記少なくとも１つの処理を行うことにより、前記見えの変換処理を行い、前記再現画像の前記出力すべき測色値から前記再現画像の第２のデジタル画像データを得ることを特徴とする画像処理装置。
【手続補正５】
【補正対象書類名】特許請求の範囲
【補正対象項目名】請求項１６
【補正方法】変更
【補正の内容】
【請求項１６】
前記見えの変換処理手段は、前記見えの変換処理の全ての処理を、１つの変換処理として行い、１つの変換処理に対して前記１種の色変換テーブルが設定され、この１種の色変換テーブルに対する前記変換強度の異なる複数の色変換テーブルとして、強調パラメータが異なる複数の色変換テーブルが設定される請求項１５に記載の画像処理装置。
【手続補正６】
【補正対象書類名】特許請求の範囲
【補正対象項目名】請求項１７
【補正方法】変更
【補正の内容】
【請求項１７】
前記強調パラメータは、前記第１の照明光源の下での輝度に対する輝度比および彩度である請求項１６に記載の画像処理装置。
【手続補正７】
【補正対象書類名】明細書
【補正対象項目名】００１４
【補正方法】変更
【補正の内容】
【００１４】
すなわち、本発明の第１の態様は、被写体画像の第１のデジタル画像データを取得し、前記被写体画像もしくはその被写体を照明する第１の照明光源の色度情報および照度情報を取得し、前記被写体画像の再現画像を観察する際の第２の照明光源の色度情報および照度情報を取得し、前記第１および前記第２の照明光源の色度情報および照度情報を用いて、前記被写体画像が再現された前記再現画像の見えと、前記被写体画像との見えとを一致させるための見えの変換処理を、前記第１のデジタル画像データに施す画像処理方法であって、前記見えの変換処理は、前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、前記第１および第２の照明光源の色度情報および照度情報から前記被写体画像の変換済測色値に対して行う色順応補正と、前記第１および第２の照明光源の照度情報から前記被写体画像の変換済測色値に対して行うコントラスト補正と、前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを備え、前記コントラスト変換、前記彩度変換、前記色順応補正、前記コントラスト補正および前記フレア補正の少なくとも１つの処理は、１種の変換過程に対して、変換強度の異なる複数の変換過程を備えており、前記被写体画像の前記第１のデジタル画像データに応じて前記複数の変換過程の中から１つの変換過程を選択し、選択された前記１つの変換過程を用いて、前記少なくとも１つの処理を行うことにより、前記見えの変換処理を行い、前記再現画像の前記出力すべき測色値から前記再現画像の第２のデジタル画像データを得ることを特徴とする画像処理方法を提供するものである。
【手続補正８】
【補正対象書類名】明細書
【補正対象項目名】００１６
【補正方法】変更
【補正の内容】
【００１６】
また、前記被写体画像は、前記被写体を撮影して得られたものであり、前記第１のデジタル画像データは、前記被写体を撮影したカラーネガフィルムから光電的に読み取られた画像データまたは、前記被写体を撮影して直接光電的に取得された画像データであり、前記第１の照明光源は、前記被写体を撮影する時に前記被写体を照明する光源であるのが好ましい。
あるいは、前記被写体画像は、観察される透過画像であり、前記第１のデジタル画像データは、前記透過画像の画像データであり、前記第１の照明光源は、前記透過画像を観察する時に前記透過画像を照明する光源であるのが好ましい。
また、前記透過画像は、観察されるカラーリバーサルフィルムの透過画像であり、前記透過画像の画像データは、前記カラーリバーサルフィルムから光電的に読み取られた画像データであるのが好ましい。
【手続補正９】
【補正対象書類名】明細書
【補正対象項目名】００２０
【補正方法】変更
【補正の内容】
【００２０】
また、上記目的を達成するために、本発明の第２の態様は、被写体画像の第１のデジタル画像データを取得する第１の取得手段と、前記被写体画像もしくはその被写体を照明する第１の照明光源の色度情報および照度情報を取得する第２の取得手段と、前記被写体画像の再現画像を観察する際の第２の照明光源の色度情報および照度情報を取得する第３の取得手段と、前記第１および前記第２の照明光源の色度情報および照度情報を用いて、前記被写体画像が再現された再現画像の見えと、前記被写体画像との見えを一致させるための見えの変換処理を、前記第１のデジタル画像データに施す見えの変換処理手段とを有する画像処理装置であって、前記見えの変換処理手段は、前記見えの変換処理として、前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、前記第１および第２の照明光源の色度情報および照度情報から前記被写体画像の変換済測色値に対して行う色順応補正と、前記第１および第２の照明光源の照度情報から前記被写体画像の変換済測色値に対して行うコントラスト補正と、前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを行うものであり、前記見えの変換処理手段は、前記コントラスト変換、前記彩度変換、前記色順応補正、前記コントラスト補正および前記フレア補正の少なくとも１つの処理を行うための１種の色変換テーブルに対し、変換強度の異なる複数の色変換テーブルを備える格納手段と、前記被写体画像の前記第１のデジタル画像データに応じて、前記複数の色変換テーブルの中から１つの色変換テーブルを選択する選択手段とを有し、選択された前記１つの色変換テーブルを用いて、前記少なくとも１つの処理を行うことにより、前記見えの変換処理を行い、前記再現画像の前記出力すべき測色値から前記再現画像の第２のデジタル画像データを得ることを特徴とする画像処理装置を提供するものである。
【手続補正１０】
【補正対象書類名】明細書
【補正対象項目名】００２８
【補正方法】変更
【補正の内容】
【００２８】
画像入力ユニット１１は、被写体を撮像したリバーサルフィルムに被写体画像として記録された透過画像（以下、透過被写体画像ともいう）を光電的に読み取って、ＲＧＢデータなどのデジタル画像データＤ０を取得するスキャナであり、取得された画像データＤ０は、画像処理ユニット１２に入力される。なお、画像入力ユニット１１は、取得したデジタル画像データＤ０から透過被写体画像の各点の測色値Ｄ１（ここでは、透過被写体画像の色の三刺激値（ＸＹＺ））を算出する算出手段を備えるものであっても良く、算出された測色値Ｄ１は、画像処理ユニット１２に入力される。すなわち、本発明においては、この測色値Ｄ１の算出手段は、画像入力ユニット１１としてのスキャナに内蔵されていても良いし、スキャナに外付けであっても良いし、また、画像入力ユニット１１とは、別体とされていても良いし、画像処理ユニット１２に内蔵されていても良い。
なお、画像入力ユニット１１は、カラーリバーサルフィルムＦに撮影された透過被写体画像の各点のＲＧＢデータなどのデジタル画像データＤ０、あるいは透過被写体画像の各点の測色値Ｄ１を取得できるものであればどのようなものでも良く、例えば、被写体を撮影して得られたカラーリバーサルフィルムＦの透過被写体画像をＣＣＤやＣＭＯＳセンサなど撮像素子を用いて読み取り、透過被写体画像のデジタルデータとしてＲＧＢデータ（デジタル画像データＤ０）を得るものであっても良いし、さらに、ＲＧＢデータＤ０を測色値Ｄ１、例えば透過被写体画像の色の三刺激値ＸＹＺに変換するものであっても良い。なお、本発明において用いられる測色値は、色の三刺激値（ＸＹＺ）に限定されない。
【手続補正１１】
【補正対象書類名】明細書
【補正対象項目名】００３９
【補正方法】変更
【補正の内容】
【００３９】
次に、見えの忠実再現処理ユニット３２の前段において前処理を行う好ましい色再現処理ユニット３４について説明する。
図４は、好ましい色再現処理ユニットの一実施形態のブロック図である。好ましい色再現処理ユニット３４は、後段での見えの忠実再現処理ユニット３２での処理が、忠実再現に加え、好ましい色再現になるように、予め透過被写体画像上の各点の測色値Ｄ１に、所定の順応変換、コントラストおよび／または彩度変換を行っておくものである。